(57)【特許請求の範囲】
【請求項１】
第１本体部；
前記第１本体部に対してスライドするように結合される第２本体部；
前記第１本体部の下部の一面から水平方向に延設される第１支持部；
前記第２本体部の下部の一面から水平方向に延設される第２支持部；及び
一端が前記第１本体部と結合され、他端が前記第２本体部と結合される弾性支持部を含み、
前記弾性支持部によって前記第１支持部と前記第２支持部は互いに近くなる方向に弾性的に付勢されることを特徴とする、モバイル器機用クレードル。
【請求項２】
前記第１本体部は、前記第１本体部と前記第２本体部が互いにスライドするようにするための、前記第２本体部を収容するスライド孔を含むことを特徴とする、請求項１に記載のモバイル器機用クレードル。
【請求項３】
前記第２本体部は、前記第１本体部と前記第２本体部が互いにスライドするようにするための、前記第１本体部を収容するスライド孔を含むことを特徴とする、請求項１に記載のモバイル器機用クレードル。
【請求項４】
前記弾性支持部は、油圧ダンパー、原形復元力を持つ多孔性合成樹脂、及び圧縮ゴムの中でいずれか一つであることを特徴とする、請求項１に記載のモバイル器機用クレードル。
【請求項５】
前記第１支持部と前記第２支持部は互いに対向するように位置することを特徴とする、請求項１に記載のモバイル器機用クレードル。
【請求項６】
前記第１本体部と前記第２本体部は、スライド動作の後、前記弾性支持部の復元力によって元の位置にスライドすることを特徴とする、請求項５に記載のモバイル器機用クレードル。
【請求項７】
前記第１本体部は、
前記第１本体部と前記第２本体部が互いにスライドするようにするための、前記第２本体部を収容するスライド孔と、
前記スライド孔が形成された内側表面にリーフスプリングと、を含むことを特徴とする、請求項６に記載のモバイル器機用クレードル。
【請求項８】
前記第２本体部は、前記リーフスプリングを圧迫するリーフスプリング圧迫部を含むことを特徴とする、請求項７に記載のモバイル器機用クレードル。
【請求項９】
前記第２本体部は、
前記第１本体部と前記第２本体部が互いにスライドするようにするための、前記第１本体部を収容するスライド孔と、
前記スライド孔が形成された内側表面にリーフスプリングと、を含むことを特徴とする、請求項６に記載のモバイル器機用クレードル。
【請求項１０】
前記第１本体部は、前記リーフスプリングを圧迫するリーフスプリング圧迫部を含むことを特徴とする、請求項９に記載のモバイル器機用クレードル。
【請求項１１】
前記第１本体部は、外部の他の構造物に設置するための締結手段を含むことを特徴とする、請求項１に記載のモバイル器機用クレードル。
【請求項１２】
前記第１本体部の外側表面は、外部の他の構造物に付着するための接着剤処理が施されていることを特徴とする、請求項１に記載のモバイル器機用クレードル。
【請求項１３】
前記第１支持部と前記第２支持部はそれぞれ“Ｌ”字形または“Ｕ”字形に形成されていることを特徴とする、請求項１に記載のモバイル器機用クレードル。
【請求項１４】
前記第１支持部と前記第２支持部はそれぞれ内側表面にすべり防止パッドが付着されていることを特徴とする、請求項１に記載のモバイル器機用クレードル。
【請求項１５】
中空形状を持ち、表面に内部と連通するスライド溝を備える第１本体部；
前記第１本体部の内部で前記第１本体部に対してスライドするように結合される第２本体部；
前記スライド溝の上部周囲の前記第１本体部の外側表面に付着される第１支持部；
前記スライド溝の上部を通じて前記第２本体部の一面に付着される第２支持部；及び
一端が前記第１本体部と結合され、他端が前記第２本体部と結合される弾性支持部；を含み、
前記弾性支持部によって前記第１支持部と前記第２支持部は互いに近くなる方向に弾性的に付勢されることを特徴とする、モバイル器機用クレードル。
【請求項１６】
前記弾性支持部は、油圧ダンパー、原形復元力を持つ多孔性合成樹脂、及び圧縮ゴムの中でいずれか一つであることを特徴とする、請求項１５に記載のモバイル器機用クレードル。
【請求項１７】
前記第１支持部と前記第２支持部は互いに対向するように位置することを特徴とする、請求項１５に記載のモバイル器機用クレードル。
【請求項１８】
前記第１本体部と前記第２本体部は、スライド動作の後、前記弾性支持部の復元力によって元の位置にスライドすることを特徴とする、請求項１７に記載のモバイル器機用クレードル。
【請求項１９】
前記第１本体部は内側表面にリーフスプリングを含むことを特徴とする、請求項１８に記載のモバイル器機用クレードル。
【請求項２０】
前記第２本体部は、前記リーフスプリングを圧迫するリーフスプリング圧迫部を含むことを特徴とする、請求項１９に記載のモバイル器機用クレードル。
【請求項２１】
前記第１本体部は、外部の他の構造物に装着するための締結手段を含むことを特徴とする、請求項１５に記載のモバイル器機用クレードル。
【請求項２２】
前記第１本体部の外側表面は、外部の他の構造物に付着するための接着剤処理が施されていることを特徴とする、請求項１５に記載のモバイル器機用クレードル。
【請求項２３】
前記第１支持部と前記第２支持部はそれぞれ“Ｌ”字形または“Ｕ”字形に形成されていることを特徴とする、請求項１５に記載のモバイル器機用クレードル。
【請求項２４】
前記第１支持部と前記第２支持部はそれぞれ内側表面にすべり防止パッドが付着されていることを特徴とする、請求項１５に記載のモバイル器機用クレードル。
【請求項２５】
平面上に前記第１本体部を支持するための支持板をさらに含み、前記支持板と前記第１本体部は互いに回転可能となるようにヒンジ結合によって結合されることを特徴とする、請求項１または１５に記載のモバイル器機用クレードル。
【請求項２６】
平面上に前記第１本体部を支持するための支持板をさらに含み、
前記支持板と前記第１本体部は互いに回転可能となるようにボールジョイント結合によって結合されることを特徴とする、請求項１または１５に記載のモバイル器機用クレードル。
【請求項２７】
前記第１支持部は前記第１本体部を軸として回転可能となるように前記第１本体部と結合され、
前記第２支持部は前記第２本体部を軸として回転可能となるように第２本体部と結合されることを特徴とする、請求項１または１５に記載のモバイル器機用クレードル。
【請求項２８】
ドアに設置される本体部と、
前記本体部の下部に設置される上側支持部と、
前記本体部に設置されてスライド動作を行う下部支持部と、
前記本体部の内側に設置されて下側支持部を弾支する弾性支持部とを含んでなり、
前記上側支持部は、本体部の本体下部に形成される上部部材を含むことを特徴とする、モバイル器機用クレードル。
【請求項２９】
前記ドアには本体部が設置される設置収容部が形成されることを特徴とする、請求項２８に記載のモバイル器機用クレードル。
【請求項３０】
前記本体部は内側にスライド孔が形成された本体を含むことを特徴とする、請求項２８に記載のモバイル器機用クレードル。
【請求項３１】
前記本体部は、ドアの内側面に設置され、内側にスライド孔が形成され、外周面の両側部には固定具が形成された本体を含むことを特徴とする、請求項２８に記載のモバイル器機用クレードル。
【請求項３２】
前記本体の前後面または前後面のいずれか一面には開放凹部が形成されることを特徴とする、請求項３０または３１に記載のモバイル器機用クレードル。
【請求項３３】
前記本体のスライド孔の上端部には固定ピンを含むことを特徴とする、請求項３０または３１に記載のモバイル器機用クレードル。
【請求項３４】
前記本体部は、
管状に形成され、内側にスライド孔が形成され、このスライド孔の下部には内側に折り曲げられた係止突起が形成された本体管と、
前記本体管の上部をカバーするキャップとを含んでなることを特徴とする、請求項２８に記載のモバイル器機用クレードル。
【請求項３５】
前記上側支持部は、本体部の本体下部に延長部材が形成され、前記延長部材の下部には上部部材が備えられることを特徴とする、請求項２８に記載のモバイル器機用クレードル。
【請求項３６】
前記上側支持部は、
本体部の本体管の下部に結束され、本体管の係止突起に係止される係止突起が形成され、中央部に貫通孔が形成された連結部材と、
前記連結部材の前面に備えられた上部部材とを含んでなることを特徴とする、請求項２８に記載のモバイル器機用クレードル。
【請求項３７】
前記上部部材は“Ｌ”字形に形成され、ドアの下部に上部が密着するように備えられることを特徴とする、請求項２８、３５及び３６のいずれか一項に記載のモバイル器機用クレードル。
【請求項３８】
前記下側支持部は、
本体部の本体に形成されたスライド孔に結束されるスライド部材と、
前記スライド部材の下部に備えられ、上側支持部の上部部材に対応するように備えられた下部部材とを含んでなることを特徴とする、請求項２８に記載のモバイル器機用クレードル。
【請求項３９】
前記下側支持部は、
本体部の本体に形成された開放凹部にスライドするように結束設置されるスライド部材と、
前記スライド部材の後部に備えられ、本体のスライド孔に位置するように備えられたガイド部材と、
前記スライド部材の下部に備えられ、上側支持部の上部部材に対応するように備えられた下部部材とを含んでなることを特徴とする、請求項２８に記載のモバイル器機用クレードル。
【請求項４０】
前記下側支持部は、本体部の本体管の内側に位置し、上部に支持部材が形成されたスライド棒を含み、
前記スライド棒の下部には上側支持部の上部部材に対応する下部部材を含むことを特徴とする、請求項２８に記載のモバイル器機用クレードル。
【請求項４１】
前記下部部材は“Ｌ”字形に形成され、上部部材の下部に位置するように備えられることを特徴とする、請求項３８〜４０のいずれか一項に記載のモバイル器機用クレードル。
【請求項４２】
前記弾性支持部は、本体部の本体に形成されたスライド孔に位置し、一側は設置孔に備えられた固定ピンに連結され、他側部は下部支持部の下部部材に連結固定される弾性部材を含むことを特徴とする、請求項２８に記載のモバイル器機用クレードル。
【請求項４３】
前記弾性支持部は、下部支持部のスライド棒に嵌合され、上側支持部の連結部材に形成された係止具と下部支持部の支持部材との間に位置する弾性部材を含むことを特徴とする、請求項２８に記載のモバイル器機用クレードル。
【発明の詳細な説明】
【技術分野】
【０００１】
本発明はモバイル器機用クレードルに係り、より詳しくはスマートフォン、タブレット型パソコンのようなモバイル機器を便利に装着することができるモバイル器機用クレードルに関する。
【背景技術】
【０００２】
スマートフォンやタブレット型パソコンのような携帯用モバイル器機が発展するにつれて、モバイル機器は個人エンターテイメントステーションに発展して行っている。特に、多様なモバイルコンテンツと結合することにより、現代人はスマートフォンやタブレット型パソコンのようなモバイル機器がない生活を想像することができない程度に至ることになった。
【０００３】
モバイル器機の核心は携帯性であると言える。よって、モバイル器機のデザインは、既存のＴＶやデスクトップＰＣとは異なり、できるだけ軽薄短小化して携帯が容易になってきた。よって、大部分のモバイル器機は薄いパッド状を持つことになった。
【０００４】
しかし、このような薄いパッド状のモバイル器機のデザインは一定の場所や位置に装着して保持することが不便であるという欠点を持つ。モバイル器機の根源的属性は携帯性であるが、モバイル機器を使用する使用者が一定の場所で直接モバイル機器を手で持たないで楽にコンテンツを楽しむためには、モバイル機器が一定の位置に装着される必要がある。特に、横になるとか座ってモバイル機器から出る各種の映像、音響コンテンツを楽しむためには、モバイル機器を使用者が見やすい位置または聞きやすい位置に装着する必要がある。
【０００５】
例えば、ベッドに横たわってモバイル機器で映画を見ようとするとか、車両モバイル機器を設置してナビゲーションとして使うとか、キッチンで料理をするとかお皿を洗いながら動画ニュースを視聴しようとするとき、モバイル機器を装着して固定することができる装置が必要である。
【０００６】
このために、従来、特許文献１の“モバイル器機用クレードル”などのクレードルなどが紹介されたが、このようなクレードルは一つの手で操作することが不便であり、多様なサイズのモバイル機器を収容するのには限界があった。
【先行技術文献】
【特許文献】
【０００７】
【特許文献１】大韓民国特許登録第１０−１０２５４３２号
【発明の概要】
【発明が解決しようとする課題】
【０００８】
本発明は前記のような問題点を解決するために発明されたもので、多様な空間で一層便利にモバイル機器を装着して使うことができるモバイル器機用クレードルを提供することにその目的がある。
【課題を解決するための手段】
【０００９】
前記のような目的を達成するための本発明の一態様によるモバイル器機用クレードルは、第１本体部；前記第１本体部に対してスライドするように結合される第２本体部；前記第１本体部の一面から水平方向に延設される第１支持部；及び前記第２本体部の一面から水平方向に延設される第２支持部；を含むことができる。
【００１０】
一方、前記第１本体部は、前記第１本体部と前記第２本体部が互いにスライドするようにするための、前記第２本体部を収容するスライド孔を含むことができる。
【００１１】
または、前記第２本体部は、前記第１本体部と前記第２本体部が互いにスライドするようにするための、前記第１本体部を収容するスライド孔を含むこともできる。
【００１２】
そして、本発明の実施例によるモバイル機器用クレードルは弾性支持部をさらに含み、前記弾性支持部の一端は前記第１本体部と結合され、前記弾性支持部の他端は前記第２本体部と結合されることを特徴とすることができる。
【００１３】
この際、前記弾性支持部は、スプリング、及び弾性バンドのいずれか一つであることを特徴とすることができる。
【００１４】
そして、前記弾性支持部の復元力は、第２本体部の重さと既設定のモバイル機器の重さの和より大きいことを特徴とすることもできる。
【００１５】
または、前記弾性支持部は、油圧ダンパー、原形復元力を持つ多孔性合成樹脂、及び圧縮ゴムの中でいずれか一つであることを特徴とすることもできる。
【００１６】
一方、前記第１支持部と前記第２支持部は互いに対向するように位置することを特徴とすることができる。
【００１７】
そして、前記第１本体部と前記第２本体部は、スライド動作の後、前記弾性支持部の復元力によって元の位置にスライドすることを特徴とすることができる。
【００１８】
特に、前記第１本体部は、前記スライド孔が形成された内側表面にリーフスプリングを含むことを特徴とすることができる。
【００１９】
そして、前記第２本体部は、前記リーフスプリングを圧迫するリーフスプリング圧迫部を含むことができる。
【００２０】
または、前記第２本体部は、前記スライド孔が形成された内側表面にリーフスプリングを含むことを特徴とすることができる。
【００２１】
この場合、前記第１本体部は、前記リーフスプリングを圧迫するリーフスプリング圧迫部を含むことができる。
【００２２】
一方、前記第１本体部は、外部の他の構造物に設置するための締結手段を含むことを特徴とすることができる。
【００２３】
または、前記第１本体部の外側表面は、外部の他の構造物に付着するための接着剤処理が施されていることを特徴とすることができる。
【００２４】
一方、前記第１支持部と前記第２支持部はそれぞれ“Ｌ”字形または“Ｕ”字形に形成されていることを特徴とすることができる。
【００２５】
そして、前記第１支持部と前記第２支持部はそれぞれ内側表面にすべり防止パッドが付着されていることを特徴とすることができる。
【００２６】
前記のような目的を達成するための本発明のさらに他の態様によるモバイル機器用クレードルは、中空形状を持ち、表面に内部と連通するスライド溝を備える第１本体部；前記第１本体部の内部で前記第１本体部に対してスライドするように結合される第２本体部；前記第１本体部の外側表面に付着される第１支持部；及び前記第２本体部の一面に付着される第２支持部；を含み、前記第２支持部は前記スライド溝を通じて前記第２本体部に付着されることを特徴とすることができる。
【００２７】
そして、弾性支持部をさらに含み、前記弾性支持部の一端は前記第１本体部と結合され、前記弾性支持部の他端は前記第２本体部と結合されることを特徴とすることができる。
【００２８】
一方、前記モバイル機器用クレードルは、平面上に前記第１本体部を支持するための支持板をさらに含み、前記支持板と前記第１本体部は互いに回転可能になるようにヒンジ結合によって結合されることを特徴とすることができる。
【００２９】
または、前記支持板と前記第１本体部は互いに回転可能になるようにボールジョイント結合によって結合されることを特徴とすることができる。
【００３０】
一方、前記第１支持部は前記第１本体部を軸として回転可能になるように前記第１本体部と結合され、前記第２支持部は前記第２本体部を軸として回転可能になるように第２本体部と結合されることを特徴とすることができる。
【００３１】
前記目的を達成するための本発明のさらに他の態様によるモバイル機器用クレードルは、ドアに設置される本体部と、前記本体部の下部に設置される上側支持部と、前記本体部に設置されてスライド動作を行う下部支持部と、前記本体部の内側に設置されて下側支持部を弾支する弾性支持部とを含む。
【００３２】
ここで、前記ドアには本体部が設置される設置収容部が形成されることができる。
【００３３】
そして、前記本体部は内側にスライド孔が形成された本体を含むことができる。
【００３４】
また、前記本体部は、ドアの内側面に設置され、内側にスライド孔が形成され、外周面の両側部には固定具が形成された本体を含むことができる。
【００３５】
ここで、前記本体の前後面または前後面のいずれか一面には開放凹部が形成されることができる。
【００３６】
さらに、前記本体のスライド孔の上端部には固定ピンを含むことができる。
【００３７】
そして、前記本体部は、管状に形成され、内側にスライド孔が形成され、このスライド孔の下部には内側に折り曲げられた係止突起が形成された本体管と、前記本体管の上部をカバーするキャップとを含んでなることができる。
【００３８】
また、前記上側支持部は、本体部の本体下部に形成される上部部材を含むことができる。
【００３９】
そして、前記上側支持部は、本体部の本体下部に延長部材が形成され、前記延長部材の下部には上部部材を含むことができる。
【００４０】
また、前記上側支持部は、本体部の本体管の下部に結束され、本体管の係止突起に係止される係止突起が形成され、中央部に貫通孔が形成された連結部材と、前記連結部材の前面に備えられた上部部材とを含んでなることができる。
【００４１】
ここで、前記上部部材は“Ｌ”字形に形成され、ドアの下部に上部が密着するように備えられることができる。
【００４２】
さらに、前記貫通孔は、四角形、五角形、六角形、及び八角形のいずれか一形状に形成されることができる。
【００４３】
そして、前記下側支持部は、本体部の本体に形成されたスライド孔に結束されるスライド部材と、前記スライド部材の下部に備えられ、上側支持部の上部部材に対応するように備えられた下部部材とを含んでなることができる。
【００４４】
また、前記下側支持部は、本体部の本体に形成された開放凹部にスライドするように結束設置されるスライド部材と、前記スライド部材の後部に備えられ、本体のスライド孔に位置するように備えられたガイド部材と、前記スライド部材の下部に備えられ、上側支持部の上部部材に対応するように備えられた下部部材とを含んでなることができる。
【００４５】
そして、前記下側支持部は、本体部の本体管の内側に位置し、上部に支持部材が形成されたスライド棒を含み、前記スライド棒の下部には上側支持部の上部部材に対応する下部部材を含むことができる。
【００４６】
ここで、前記下部部材は“Ｌ”字形に形成され、上部部材の下部に位置するように備えられることができる。
【００４７】
さらに、前記スライド棒は、四角形、五角形、六角形、及び八角形のいずれか１形状に形成されることができる。
【００４８】
また、前記弾性支持部は、本体部の本体に形成されたスライド孔に位置し、一側は設置孔に備えられた固定ピンに連結され、他側部は下部支持部の下部部材に連結固定される弾性部材を含むことができる。
【００４９】
そして、前記弾性支持部は、下部支持部のスライド棒に嵌合され、上側支持部の連結部材に形成された係止具と下部支持部の支持部材との間に位置する弾性部材を含むことができる。
【発明の効果】
【００５０】
前記のような構成を持つ本発明の実施例によれば、スマートフォンやタブレット型パソコンを使う使用者が本発明の実施例によるモバイル器機用クレードルを車両、ベッド、吊戸棚、冷蔵庫、机などに付着してスマートフォンやタブレット型パソコンを便利に装着することができる。
【００５１】
また、第２支持部が弾性力によって元の位置に戻ることができるようにするとともに一定の長さだけ第２支持部をスライド移動させてから解除すると、元の位置に戻る直前に内部のリーフスプリングによって第２本体部が停止するようにして第１支持部と第２支持部間の空間を確保することによって一つの手でもモバイル機器を易しく装着することができるという利点がある。
【００５２】
そして、キッチン家具、特にキッチン家具の吊戸棚の下部に引き出し可能に設置して電子機器を装着するとき、引き出して装着させることができるように構成されており、電子機器を装着しない場合には、クレードルが挿入された状態を維持することにより、室内で活動する過程で引かかってクレードルが破損されることを防止するようにする効果がある。
【００５３】
また、吊戸棚のドア内側に陥没するように設置され、下部に下部部材が引き出されるように構成することにより、クレードルを使わない場合にはドアの下部に密着した状態を維持するので、室内活動の際、クレードルによって邪魔されないで自由に活動するようにする効果がある。
【００５４】
そして、吊戸棚のドア内側にボルトなどの固定手段で固定させ、使用の際、下部部材を引き出して電子機器を装着させることができるように構成することにより、既存に使用されているキッチン家具のドアに容易に設置して使うことができるようにする効果がある。
【００５５】
また、下部支持部がスライドして上側支持部との間隔を調節して電子機器を支持することにより、電子機器のサイズに関係なく装着させることができるようにする効果がある。
【００５６】
本発明の効果は以上に説明したものに制限されなく、以上に説明しなかったさらに他の効果は下の記載から本発明が属する技術分野の通常の知識を持った者に明らかに理解可能であろう。
【図面の簡単な説明】
【００５７】
【図１】本発明第１実施例によるモバイル器機用クレードルの斜視図である。
【図２】本発明の第１実施例によるモバイル器機用クレードルの断面図である。
【図３】本発明の第１実施例によるモバイル器機用クレードルの上側支持部と下部支持部の構造を示す図である。
【図４ａ】本発明の第１実施例によるモバイル機器用クレードルの作動を説明するための図である。
【図４ｂ】本発明の第１実施例によるモバイル機器用クレードルの作動を説明するための図である。
【図４ｃ】本発明の第１実施例によるモバイル機器用クレードルの作動を説明するための図である。
【図５ａ】本発明の第２実施例によるモバイル器機用クレードルの構造を示す図である。
【図５ｂ】本発明の第２実施例によるモバイル器機用クレードルの構造を示す図である。
【図５ｃ】本発明の第２実施例によるモバイル器機用クレードルの構造を示す図である。
【図５ｄ】本発明の第２実施例によるモバイル器機用クレードルの構造を示す図である。
【図６ａ】本発明の第３実施例によるモバイル器機用クレードルの構造を示す図である。
【図６ｂ】本発明の第３実施例によるモバイル器機用クレードルの構造を示す図である。
【図６ｃ】本発明の第３実施例によるモバイル器機用クレードルの構造を示す図である。
【図７】本発明の第４実施例によるモバイル器機用クレードルの構造を示す斜視図である。
【図８】本発明の第４実施例によるモバイル器機用クレードルの構造を示す側面斜視図である。
【図９】本発明の第４実施例によるモバイル器機用クレードルの第１支持部と第２支持部の構造を示す斜視図である。
【図１０】本発明の第４実施例によるモバイル器機用クレードルに適用可能なさらなるリーフスプリング構造を示す斜視図である。
【図１１】本発明の第５実施例によるモバイル器機用クレードルの形態を示した正面図である。
【図１２】本発明の第６実施例によるモバイル器機用クレードルの形態を示した斜視図である。
【図１３】本発明の実施例によるモバイル器機用クレードルの使用形態を示す使用状態図である。
【図１４】本発明の実施例によるモバイル器機用クレードルの使用形態を示す使用状態図である。
【図１５】本発明の実施例によるモバイル器機用クレードルの使用形態を示す使用状態図である。
【図１６】本発明の実施例によるモバイル器機用クレードルの使用形態を示す使用状態図である。
【図１７】本発明の実施例によるモバイル器機用クレードルの使用形態を示す使用状態図である。
【図１８】本発明の第７実施例によるモバイル器機用クレードルの形態を示した第１斜視図である。
【図１９】本発明の第７実施例によるモバイル器機用クレードルの形態を示した第２斜視図である。
【発明を実施するための形態】
【００５８】
本発明の目的及び効果、並びにこれらを達成するための技術的構成は添付図面に基づいて詳細に後述する実施例を参照すれば明らかになるであろう。本発明の説明において、公知の機能や構成についての具体的な説明が本発明の要旨を不必要にあいまいにすることができると判断される場合には、その詳細な説明を省略する。そして、後述する用語は本発明の構造、役目及び機能などを考慮して定義された用語で、これは使用者、運用者の意図または慣例などによって変わることができる。
【００５９】
しかし、本発明は以下に開示される実施例に限定されるものではなく、互いに異なる多様な形態に具現されることができる。ただ、この実施例は本発明の開示を完全にし、本発明が属する技術分野で通常の知識を持った者に発明の範疇を完全に知らせるために提供されるものであり、本発明は専ら特許請求範囲に記載された請求項の範疇によって定義されなければならない。したがって、その定義はこの明細書の全般にわたった内容に基づいて決められなければならない。
【００６０】
明細書の全般にわたり、ある部分がある構成要素を“含む”とするとき、これは特に反対の記載がない限り、他の構成要素を排除するというものではなく、他の構成要素をさらに含むことができることを意味する。
【００６１】
一方、以下では本発明の第１〜第５実施例によるモバイル器機用クレードルについて添付図面に基づいて詳細に説明する。
【００６２】
図１は本発明第１実施例によるモバイル器機用クレードルの斜視図、図２は本発明の第１実施例によるモバイル器機用クレードルの断面図、図３は本発明の第１実施例によるモバイル器機用クレードルの上側支持部と下部支持部の構造を示す図である。
【００６３】
図１〜図３に示したように、本発明の第１実施例によるモバイル器機用クレードル１００は、室内に配置された家具、特にキッチンに配置された吊戸棚のドア１１０に設置される本体部２１０を含む。
【００６４】
この際、前記吊戸棚のドア１１０には下部と後面が開放するように折り曲げられた設置収容部１１２が形成される
ここで、前記本体部２１０はドア１１０に形成された設置収容部１１２にネジなどの固定手段によって固定設置され、内側に上下部が開放するとかあるいは下部だけ開放するようにスライド孔２１４が形成された本体２１２を含む。
【００６５】
さらに、前記本体２１２の内側に形成されたスライド孔２１４の上端部には一つまたは一つ以上の固定ピン２１６を含む。
【００６６】
そして、前記ドア１１０の下部に位置し、本体部２１０の本体２１２に設置されて電子機器Ｅの上部を支持する上側支持部３１０を含む。
【００６７】
ここで、上側支持部３１０は、前面の一部がドア１１０の前方に突出するように備えられ、本体２１２と一体に形成された上部部材３１２を含む。
【００６８】
さらに、前記上部部材３１２は“Ｌ”字形に形成され、内側にすべり防止部材３１４を含む。
【００６９】
この際、前記上部部材３１２は“Ｌ”字形に限定されるものではなく、逆“Ｕ”字形などの電子機器を支持することができるすべての形状が適用可能である。
【００７０】
また、前記上部部材３１２は本体２１２と一体に形成されてドア１１０の下面に密着するように設置される。
【００７１】
また、前記本体部２１０の本体２１２に設置され、スライド動作を行って電子機器Ｅの下部を支持する下側支持部４１０を含む。
【００７２】
ここで、前記下側支持部４１０は、本体部２１０の本体２１２に形成されたスライド孔２１４に結束されて昇降動作を行うスライド部材４１２を含む。
【００７３】
この際、前記スライド部材４１２には、図面には示されていないが、ガイド突起またはガイド溝を形成し、本体２１２のスライド孔２１４にはスライド部材４１２に形成されたガイド突起またはガイド溝と対応するガイド溝またはガイド突起を形成して、スライド部材４１２がスライド動作を安全に遂行するようにすることもできる。
【００７４】
そして、前記スライド部材４１２の上端部には係止突起４１２ａを形成し、本体２１２のスライド孔２１４の下部入口に、スライド部材４１２がスライド孔２１４内でスライド動作を遂行するときにスライド部材４１２がスライド孔２１４から離脱することを防止するために係止突起（図示せず）を形成することもできる。
【００７５】
さらに、前記スライド部材４１２の下端部には、上部部材３１０に対応するように下部部材４１４を含む。
【００７６】
また、前記下部部材４１４は“Ｌ”字形に形成され、内側部にすべり防止部材４１６を含む。
【００７７】
この際、前記下部部材４１４は“Ｌ”字形に限定されるものではなく、“Ｕ”字形などの電子機器を支持することができるすべての形状が適用可能である。
【００７８】
また、前記本体部２１０の本体２１２に形成されたスライド孔２１４に備えられて下側支持部４１０を弾支する弾性支持部５１０を含む。
【００７９】
ここで、前記弾性支持部５１０は、本体２１２のスライド孔２１４に垂直方向に配置され、一側部は本体２１２のスライド孔２１４に備えられた固定ピン２１６に固定され、他側部は下側支持部４１０のスライド部材４１２の上部に形成された係止突起４１２ａに結束固定される弾性部材５１２を含む。
【００８０】
この際、前記弾性部材５１２は、本体２１２のスライド孔２１４に備えられた固定ピン２１６の数に対応するように一つまたは二つ以上を含む。
【００８１】
したがって、前記スライド部材４１２を下降させれば、スライド部材４１２がスライド孔２１４に沿って下降することになる。この際、弾性部材５１２で引張力が発生し、上部部材３１２と下部部材４１４との間に位置する電子機器Ｅが弾性部材５１２の引張力によって上下部が加圧されて堅固に固定されて装着状態を維持することになる。
【００８２】
本発明の第１実施例によるモバイル器機用クレードル１００は吊戸棚に設置したものを一例として説明しているが、これは吊戸棚に限定されるものではなく、室内または室外に設置されるすべての家具に適用可能である。
【００８３】
また、前記モバイル器機用クレードル１００は前記で吊戸棚のドア１１０に装着して電子機器を装着するものを重点的に説明しているが、これに限定されるものではなく、ドア１１０に設置されたクレードルに装着することができるすべてのものに適用可能であり、一例としてノートブックや本またはメモ紙などを装着することもできる。
【００８４】
このように構成された本発明によるモバイル器機用クレードルの作用関係を説明すれば次のようである。
【００８５】
図４ａ〜図４ｃは本発明の第１実施例によるモバイル機器用クレードルの作動を説明するための図である。
【００８６】
同図に示したように、本発明の第１実施例によるモバイル器機用クレードル１００は、まず電子機器Ｅを装着しようとする場合、下側支持部４１０を下側に下降させれば、スライド部材４１２がスライド孔２１４から下降しながら引き出されて下部部材４１４と上部部材３１２との間隔が大きくなり、この状態で電子機器Ｅを上部部材３１２と下部部材４１４との間に位置させれば、電子機器Ｅの装着がなされる。
【００８７】
前記スライド部材４１２がスライド孔２１４から引き出されるとき、弾性部材５１２は引張力を発生させるので、上部部材３１２と下部部材４１４との間に電子機器Ｅを装着させるとき、弾性部材５１２の引張力によって下部部材４１４が上昇して、装着された電子機器Ｅを加圧して堅固に固定状態を維持することができることになる。
【００８８】
したがって、前記下側支持部４１０を引き出して上部部材３１２と下部部材４１４との間に電子機器Ｅを装着させれば、弾性部材５１２が元の状態に戻ろうとする圧縮力によって下部部材４１４が電子機器Ｅの下部を加圧して、堅固に電子機器Ｅを装着させた状態を維持することになり、容易に電子機器Ｅが装着された状態で使うことができることになる。
【００８９】
反対に、前記電子機器Ｅを分離させようとする場合には、電子機器Ｅを装着させるときと同様に下部部材４１４を下側に下降させれば、上部部材３１２と下部部材４１４との間が広がることにより、容易に電子機器Ｅを分離させることができることになる。
【００９０】
このように、前記電子機器Ｅを上部部材３１２と下部部材４１４との間から分離させた後に下部部材４１４を放すと、この下側支持部４１０はスライド部材４１２に固定された弾性部材５１２の引張力によってスライド部材４１２がスライド孔２１４に挿入されるとともに下部部材４１４が上部部材３１２の下部に密着することになる。
【００９１】
したがって、前記モバイル器機用クレードル１００に電子機器Ｅを装着しない場合には、クレードルの下側支持部４１０が本体部２１０に収容されてドア１１０の外側に突出する面積が少なくなるので、活動する人と接触して破損されることを防止するとともに空間を広く使うことができることになる。
【００９２】
図５ａ〜図５ｄは本発明の第２実施例によるモバイル器機用クレードルの構造を示す図である。
【００９３】
同図に示したように、前記モバイル器機用クレードル１００は、家具、特に吊戸棚のドア１１０内側面に設置される。
【００９４】
すなわち、前記本体部２１０の本体２１２の両側部には、ネジなどの固定手段によってドア１１０に固定させることができるように固定孔２１８ａが形成された多数の固定具２１８を含む。
【００９５】
そして、前記上側支持部３１０は、本体２１２の下側に伸びた延長部材３１６が本体２１２と一体に形成され、この延長部材３１６の下部には電子機器の上部を支持する上部部材３１２を含む。
【００９６】
この際、前記延長部材３１６は家具の胴体とドア１１０との間の隙間に位置することになる。
【００９７】
ここで、前記本体２１２の前面中央部には、縦方向、つまり上部部材３１２が備えられた方向には上部部材３１２の上部に位置するように開放凹部２１２ａが形成される。
【００９８】
また、前記吊戸棚の胴体とドア１１０との間には、ドア１１０の開閉の際、騷音などの衝撃などによってドア１１０が破損されることを防止するために騷音防止手段などを備え、家具の胴体とドア１１０との間には少しの隙間が発生し、この隙間に延長部材３１６が位置してもドア１１０の開閉の際に邪魔しなくなる。
【００９９】
また、前記上部部材３１２はドア１１０の下部に位置し、上部部材３１２はドア１１０の下部にネジなどの固定手段で堅固に固定させることもできる。
【０１００】
そして、前記下側支持部４１０は本体２１２の中央部に形成された開放凹部２１２ａに収容されるスライド部材４１２を含み、このスライド部材４１２の後部には本体２１２のスライド孔２１４に位置してスライド部材４１２の離脱を防止するガイド部材４２０を含む。
【０１０１】
この際、前記スライド孔２１４の両側部にはガイド溝２１４ａが形成され、ガイド部材４１２の両側部にはガイド溝２１４ａに結束されるガイド突起４２０が形成される。
【０１０２】
さらに、前記スライド部材４１２の下部には上部部材３１２と対応するように下部部材４１４を含む。
【０１０３】
また、前記スライド部材４１２の後部に備えられたガイド部材４２０の上部には、一つ以上の係止突起４２０ａが形成され、一側はスライド孔２１４の上部に備えられた固定ピン２１６に結束され、他側部は係止突起４２０ａに結束される弾性部材５１２を含む。
【０１０４】
一方、前記スライド部材４１２には弾性部材５１２が収容される切開口（図示せず）を形成し、この切開口に弾性部材５１２を収容し、弾性部材５１２の一側部は固定ピン２１６に固定し、他側部は切開口の底部に固定させることもできる。
【０１０５】
したがって、前記スライド部材４１２に切開口を形成し、この切開口に弾性部材５１２が収容されるようにすることで、本体部２１０の厚さを薄く製作することができることになる。
【０１０６】
このように構成された本発明によるモバイル器機用クレードルの作動は前者と同様な方法によってなされるもので、ここでは作動についての説明は省略する。
【０１０７】
ただ、前記本体２１２に多数の固定具２１８を備えることで、モバイル器機用クレードル１００をドア１１０の内側面に設置して容易に電子機器Ｅを装着させることができることになる。
【０１０８】
すなわち、前記本体２１２に固定具２１８を形成し、ネジなどの固定手段で容易にドア１１０の内側に設置するように構成することにより、既存に室内に設置されて使われている吊戸棚のドア１１０に容易に設置して電子機器Ｅを装着させることができることになる。
【０１０９】
また、前記スライド部材４１２が本体２１２の前面中央部に形成された開放凹部２１２ａでスライド動作を行うことにより、ドア１１０と吊戸棚の本体との間に本体２１２の下方に伸びた延長部材３１６が位置してもドア１１０の開閉動作に影響を与えなくなる。
【０１１０】
そして、前記スライド部材４１２の後部にガイド部材４２０を備えることで、スライド部材４１２のスライド動作の際、このガイド部材４２０がスライド部材４１２を支持するとともに同様にスライド孔２１４でスライド動作を行うことにより、スライド部材４１２が安全にスライド動作を行うことができることになる。
【０１１１】
図６ａ〜図６ｃは本発明の第３実施例によるモバイル器機用クレードルの構造を示す図である。
【０１１２】
同図に示したように、前記吊戸棚のドア１１０には下部が開放するように円筒状の設置孔１１４が形成される。
【０１１３】
そして、前記本体部２１０はドア１１０の設置孔１１４にボルトなどの固定手段で固定され、内側に上下部が開放するようにスライド孔２４４が形成された管状の本体管２４２が備えられ、この本体管２４２の下端部の内周面には内側に折り曲げられた係止突条２４６が形成される。
【０１１４】
ここで、前記本体管２４２の上部が開放したスライド孔２４４の上部をカバーするキャップ２４８を含む。
【０１１５】
また、前記上側支持部３１０は、本体管２４２のスライド孔２４４に結束され、上部は本体管２４２の係止突起２４６に係止される係止具３４４が形成され、下部は本体管２４２の外側に突出し、中央部には貫通孔３４６が形成された連結部材３４２を含む。
【０１１６】
この際、前記貫通孔３４６は、四角形、五角形、六角形などの多角形の中でいずれか一形状に形成される。
【０１１７】
ここで、前記連結部材３４２の下部にはモバイル器機の上部を支持する上部部材３４８を含む。
【０１１８】
そして、前記下側支持部４１０は、本体管２４２のスライド孔２４４に位置し、上部には支持部材４４４が形成され、下部は本体管２４２の下側に突出するスライド棒４４２を含む。
【０１１９】
この際、前記スライド棒４４２は、四角形、五角形、六角形などの多角形の中でいずれか一形状に形成される。
【０１２０】
ここで、前記スライド棒４４２の下部には、上部部材３４８と対応するように下部に位置する下部部材４４６を含む。
【０１２１】
また、前記弾性支持部５１０は、本体管２４２のスライド孔２４４に位置し、スライド孔２４４に位置するスライド棒４４２に嵌合されるように連結部材３４２と支持部材４４４との間に位置する弾性部材５４２を含む。
【０１２２】
このように構成された本発明の第３実施例によるモバイル器機用クレードルの動作は前者と同様な方法によってなされるので、ここでは動作についての説明は省略する。
【０１２３】
ただ、前記モバイル機器を装着させようとする場合には、下部部材４４６を下側に引けば、スライド棒４４２が上側支持部３４８の連結部材３４２に形成された貫通孔３４６の案内によってスライドして下降するとともにスライド棒４４２の上部に形成された支持部材４４４が弾性部材５４２を圧縮させながら下降することになる。
【０１２４】
このように、前記下部部材４４６を下降させてモバイル機器を装着させた後、下部部材４４６を放せば、この下部部材４４６は弾性部材５４２の弾性力によって上昇しながらモバイル器機の下部に密着して堅固にモバイル機器を装着させた状態を維持することになる。
【０１２５】
一方、前記クレードルにモバイル機器を装着させた状態でモバイル機器を回転させれば、多角形に形成されたスライド棒４４２が回転するとともにこのスライド棒４４２が貫通した連結部材３４２と弾性部材５４２が回転することにより、自由にクレードルの方向を調節することができることになる。
【０１２６】
すなわち、前記スライド棒４４２が四角形などの多角形に形成され、これに対応するように連結部材３４２の貫通孔３４６が形成され、スライド棒４４２の回転によって連結部材３４２が回転することになる。
【０１２７】
そして、前記クレードルに装着されたモバイル機器を分離させれば、前記下側支持部４１０は弾性部材５４２の弾性力によってスライド棒４４２が上側にスライド移動するとともに下部部材４４６が上部部材３４８の下部に密着することになる。
【０１２８】
このように、前記スライド棒４４２が本体管２４２から自由にスライドして引き出され、スライドして引き出されたスライド棒４４２は弾性部材５４２の弾性力によって元の状態に復帰することになる。
【０１２９】
また、前記上下部部材３４８４４６に装着されたモバイル器機の方向を転換しようとする場合には、自由回転可能に本体管２４２に備えられた連結部材３４２にスライド棒４４２が結束され、スライド棒４４２の回転の際、連結部材３４２が一緒に回転することにより、装着されたモバイル器機の方向を調節することができることになる。
【０１３０】
一方、前記キャップ２４８と支持部材４４４との間に引張力を持つ弾性部材５４２を設置し、一側はキャップ２４８の下部に固定し、他側部は支持部材４４４の上部に固定設置しても同様な作用効果を具現することができることになる。
【０１３１】
以下では本発明の第４実施例〜第６実施例を図面に基づいて詳細に説明する。
【０１３２】
図７は本発明の第４実施例によるモバイル器機用クレードルの構造を示す斜視図、図８は本発明の第４実施例によるモバイル器機用クレードルの構造を示す側面斜視図、図９は本発明の第４実施例によるモバイル器機用クレードルの第１支持部及び第２支持部の構造を示す斜視図である。
【０１３３】
図７〜図１０を参照すれば、本発明の実施例によるモバイル器機用クレードルは、第１本体部６００；第１本体部６００に対してスライドするように結合される第２本体部７００；第１本体部６００の一面から水平方向に延設される第１支持部６１０；及び第２本体部７００の一面から水平方向に延設される第２支持部７１０を含んでなることができる。
【０１３４】
図７〜図１０を参照すれば、第１本体部６００と第２本体部７００は四角柱状に例示的に示されているが、本発明はこれに制限されるものではなく、本発明の実施例によるモバイル器機用クレードルが付着される場所や位置、そしてデザインの必要によって四角柱状ではない円筒状、三角柱状、五角柱状、三角錐状などの多様な形状に形成されることができるのは言うまでもない。図１２は本発明の第６実施例によるモバイル器機用クレードルの構造を示す図面である。図１２に示したように、モバイル器機用クレードルは中空型円筒状に形成されることができる。
【０１３５】
第１本体部６００と第２本体部７００は互いにスライドするように結合される。図７によれば、第１本体部６００と第２本体部７００の両側面が実質的に同一の形状を持ち、第１本体部６００の両側面が第２本体部７００の両側面を取り囲むように形成され、第２本体部７００が第１本体部６００の内部に挿入可能な形状を持つ。この場合、第１本体部６００の内部は第２本体部７００を収容するスライド孔の形態となることができる。図７では第１本体部６００の後面が開放してスライド孔が露出する形態となっているが、図１２の本発明の第６実施例のように中空型円筒状に具現することも可能である。
【０１３６】
しかし、本発明はこれに限定されるものではなく、むしろ第２本体部７００の両側面が第１本体部６００の両側面を取り囲むように形成され、第１本体部６００が第２本体部７００の内部に挿入されてスライドする構造を持つことができるのは言うまでもない。この場合、第２本体部７００の内部は第１本体部６００を収容するスライド孔の形態となることができる。この場合も、図１２と同様に中空型円筒状に具現することができるのは言うまでもない。
【０１３７】
また、第１本体部６００と第２本体部７００が互いにスライドする方式は、図７に示したように両側面が互いに摩擦しながらスライドするようにすることもでき、第１本体部６００または第２本体部７００のいずれか一方にスライドホイールまたはベアリングを備えて、よりスムーズなスライド動作がなされるように構成することができる。そして、第１本体部６００または第２本体部７００が互いに摩擦する面には潤滑油を適用して円滑なスライド動作がなされるようにすることができる。すなわち、第１本体部６００と第２本体部７００が互いにスライドすることができるようにするいずれの機械的構造でも適用可能である。
【０１３８】
第１支持部６１０と第２支持部７１０はそれぞれ第１本体部６００と第２本体部７００の一面から水平方向に延設されることができ、これによりそれぞれ互いに対向するように位置することができる。第１支持部６１０と第２支持部７１０はモバイル機器が装着される部分で、第１支持部６１０と第２支持部７１０との間にモバイル機器が挟支されて装着されることができる。
【０１３９】
図７及び図１０では第１支持部６１０と第２支持部７１０がそれぞれ第１本体部６００と第２本体部７００の前面下端部に付着されて形成されるものに示されている。しかし、本発明はこれに限定されるものではなく、第１支持部６１０が第１本体部６００の前面中間の近くにまたは上端の近くに付着されるとか、第２支持部７１０が第２本体部７００の前面中間の近くにまたは上端の近くに付着されることもできる。第１支持部６１０と第２支持部７１０がそれぞれ第１本体部６００と第２本体部７００に付着されている位置によって、第１支持部６１０と第２支持部７１０が互いに広がっている程度が決定できる。
【０１４０】
例えば、第１支持部６１０と第２支持部７１０がそれぞれ第１本体部６００と第２本体部７００の前面下端部に付着されて形成される場合には、まだモバイル機器が装着されていない基本の元の位置状態で第１支持部６１０と第２支持部７１０は互いにほぼ密着して対向するように位置する。しかし、第１支持部６１０が第１本体部６００の前面下端部より上方に位置する場合には、まだモバイル機器が装着されていない基本の元の位置状態で第１支持部６１０と第２支持部７１０は互いに多少離隔して対向するように位置することができる。第１支持部６１０と第２支持部７１０が互いに多少離隔して対向するように位置している場合には、離隔空間の間にモバイル機器を斜めに挿入した後、下方に第２支持部７１０を押してモバイル機器を第１支持部６１０と第２支持部７１０との間に挟支させることができる。
【０１４１】
必要によっては、第１支持部６１０と第２支持部７１０がそれぞれ第１本体部６００と第２本体部７００の前面に装着される位置を調節／変更することができるように、第１支持部６１０と第２支持部７１０がそれぞれ第１本体部６００と第２本体部７００にロック方式、接着方式、ネジ結合方式などで結合されるように構成することもできる。
【０１４２】
一方、第１本体部６００と第２本体部７００は互いにスライドするように結合されるとともに別の弾性支持部８００によって連結されることができる。すなわち、弾性支持部８００の一端は第１本体部６００と結合固定され、弾性支持部８００の他端は第２本体部７００と結合固定され、第１本体部６００と第２本体部７００が互いに分離される方向にスライドする場合、弾性支持部８００の復元力によって元の結合位置に戻るように構成されることができる。
【０１４３】
例えば、使用者が第２本体部７００を下方に引くとか第２支持部７１０を下方に押すことによって第２本体部７００を下方にスライドさせる場合、弾性支持部８００は第２本体部７００が動く方向に長さが伸ばされる。この際、弾性支持部８００の長さが伸ばされれば、復元力によって元の位置に戻ろうとするので、使用者が下の方向に加える力を解除する場合、第２本体部７００は上昇して元の位置に戻ることになる。
【０１４４】
使用者は直接手で第２支持部７１０を下方に引っぱることで、第１支持部６１０と第２支持部７１０との間にモバイル機器が装着可能な空間を形成した後、モバイル機器を第１支持部６１０と第２支持部７１０との間に挟支することもでき、またはモバイル機器を握った状態でモバイル器機の下端部で第２支持部７１０を下方に押した後、第１支持部６１０と第２支持部７１０との間に形成された空間にモバイル機器を挿入することでモバイル機器を装着することもできる。この際、弾性支持部８００の復元力によって第２本体部７００が元の位置に戻ろうとする力がモバイル器機の重さを支えるだけでなく、モバイル機器を上昇させる方向に力を加えてモバイル器機の上端部が第１支持部６１０の内側下面を圧迫するようにすることにより、モバイル機器が安定的に第１支持部６１０と第２支持部７１０との間に装着されることができるようにすることができる。よって、弾性支持部８００はその復元力が第２本体部７００の重さと一般的なモバイル器機の重さを合わせたもの以上のサイズを持つものに選択することが好ましい。
【０１４５】
図７〜図１０では弾性支持部８００としてスプリングが例示的に示されているが、本発明は必ずしもこれに限定されるものではなく、第１本体部６００と第２本体部７００を互いに元の位置にスライドさせることができる復元力を提供することができる部材であればいずれでも選択可能である。例えば、スプリングの代わりに弾性バンド（輪ゴム）を選択することもできる。
【０１４６】
また、本発明の実施例では、弾性支持部８００の長さを伸ばした後、収縮する復元力を使うものを例示したが、さらに他の実施例では、長さを圧縮させた後に再び伸長しようとする復元力を用いることもできるのは言うまでもない。この場合、油圧ダンパー、原形復元力を持つ多孔性合成樹脂、及び圧縮ゴムなどを使うことができる。
【０１４７】
一方、第１支持部６１０と第２支持部７１０は、必要によってＵ字形、Ｌ字形、平板形などに形成されることができる。図７及び図１０ではＵ字形に示されているが、これは例示的な図示であるだけ、本発明はこれに限定されるのではない。また、第１支持部６１０と第２支持部７１０は、内側表面にモバイル機器が滑らなくて安定的に保持されるようにするためのすべり防止パッド６２０、７２０がそれぞれ付着することができる。すべり防止パッド６２０、７２０は一般的に摩擦力の高いシリコン、ゴム、合成樹脂などを選択することができる。
【０１４８】
一方、本発明の実施例によるモバイル器機用クレードルによれば、第１本体部６００はスライド孔が形成された内側表面にリーフスプリング９００をさらに含むことができる。リーフスプリング９００は第１本体部６００の内側表面から突出する形状に形成されることができる。また、リーフスプリング９００は第１本体部６００と一体に形成することもでき、第１本体部６００とは別に形成して付着することができる。
【０１４９】
一方、第２本体部７００はリーフスプリング圧迫部９１０を備える。リーフスプリング圧迫部９１０はリーフスプリング９００が突出している高さよりは低い高さを持つように形成されることにより、第２本体部７００が下方にスライドしてから元の位置に戻るとき、まだ元の位置に到逹していない一定の位置で第２本体部７００が止まるようにリーフスプリング９００を圧迫する。すなわち、リーフスプリング９００がリーフスプリング圧迫部９１０によって圧迫されることにより、発生する復元力はリーフスプリング９００とリーフスプリング圧迫部９１０との間で摩擦力を発生させ、これにより第２本体部７００が弾性支持部８００による復元力によって元の位置にスライドすることを止める。
【０１５０】
第２本体部７００が元の位置にスライドする途中に止まると、図７の右側のように第１支持部６１０と第２支持部７１０との間に空間が形成され、この状態で使用者は容易に形成された空間にモバイル機器を斜めに挿入した後、第２支持部７１０を下方に押すことで、モバイル機器を装着することができる。すなわち、使用者は一つの手のみで手軽くモバイル機器を装着することができる空間を１次に形成した後、空間が形成されて固定された状態でモバイル機器を装着することができることになるものである。
【０１５１】
前述したリーフスプリング９００は一例として、係止突起、ゴムパッド、その他の弾性体など、第２本体部７１０が元の位置にスライドする時に前記第２本体部７１０を止めるためのいずれの構造でも適用することができる。
【０１５２】
本発明の実施例とその図面では、リーフスプリング９００が第１本体部６００に形成され、リーフスプリング圧迫部９１０が第２本体部７００に形成されるものを例示的に説明したが、反対にリーフスプリング９００が第２本体部７００に形成され、リーフスプリング圧迫部９１０が第１本体部６００に形成されるように構成することもできるのは言うまでもない。
【０１５３】
また、図９にようにリーフスプリング９００が第１本体部６００の側面に形成されるように構成することもできる。
【０１５４】
図１１は本発明の第５実施例によるモバイル器機用クレードルの形態を示した正面図である。
【０１５５】
図１１を参照すれば、本発明の実施例によるモバイル器機用クレードルの第１本体部６００は、その一面に外部の他の構造物に装着するための締結手段１０００を備えることができる。図１１では第１本体部６００の両側面に締結手段１０００を含むものを示したが、本発明はこれに限定されるものではなく、本発明の実施例によるモバイル器機用クレードルが設置される外部装置または外部構造物との連結関係によって両側面ではない正面、後面、上端などに締結手段１０００を含むことができるのは言うまでもない。
【０１５６】
締結手段１０００は単にロック具となることもでき、ネジ結合のためのネジ具となることもでき、ボルト／ナット結合のための締結具となることもできる。
【０１５７】
図１８は本発明の第７実施例によるモバイル器機用クレードルの形態を示した第１斜視図、図１９は本発明の第７実施例によるモバイル器機用クレードルの形態を示した第２斜視図である。
【０１５８】
前記締結手段は前述した例に限らなく、例えば、図１８及び図１９に示したように、前記締結手段は第１本体部６００に形成された吸着板６４０となることもできる。第１本体部６００に吸着板６４０が少なくとも一つ設置されることができる。この際、前記吸着板６４０を固定させるための固定装置（図示せず）が第１本体部６００の内部に形成されることができ、前記固定装置によって第１本体部６００と第２本体部７００の相対的なスライド運動が邪魔されないようにするために、第１本体部６００と第２本体部７００にはガイド溝６５０、７３０がそれぞれ形成されることができる。これは一例に過ぎないもので、吸着板６４０が第１本体部６００と第２本体部７００の相対的な運動を邪魔しない構造に形成されることができるなら、前記ガイド溝６５０、７３０は省略することができる。
【０１５９】
前記吸着板６４０は吸着力によって本発明の実施例によるモバイル器機用クレードルを外部の他の構造物に固定させるためのものであれば、その種類を制限しないでいずれも適用可能である。
【０１６０】
また、本発明のさらに他の実施例によれば、外部装置または構造物との結合のために、締結手段１０００の代わりに接着テープまたは接着剤などのような接着手段１０１０を含むこともできる。図１１では第１本体部６００の正面に接着手段１０１０が適用されているものが示されているが本発明はこれに限定されるものではなく、本発明の実施例によるモバイル器機用クレードルが付着される外部装置または外部構造物との連結関係によって正面ではない両側面、後面、上端などに接着手段１０１０を含むことができるのは言うまでもない。
【０１６１】
一方、必要によって前記締結手段１０００と接着手段１０１０はそれぞれ別個にまたは同時に適用することができるのは言うまでもない。
【０１６２】
一方、図１３〜図１７では前記のような締結手段１０００または接着手段１０１０によって本発明の実施例によるモバイル器機用クレードルが外部装置または構造物に装着された形態を示している。
【０１６３】
図１３〜図１７に示したように、本発明の実施例によるモバイル器機用クレードルは、車両のシート、車両のルームミラー、キッチンの吊戸棚、医療用ベッド、テーブル用スタンドなどに多様に設置して、モバイル機器を装着するのに使うことができる。
【０１６４】
一方、前記実施例についての説明では第２本体部７００が下方にスライドするものを説明したが、第２本体部７００が上方にスライドするように上下を覆して外部装置に設置して使うこともできる。例えば、図１３、図１６、図１７などの車両用シート、医療用ベッドまたはテーブル用スタンドの場合、第２本体部が上方にスライドするように構成されている。
【０１６５】
一方、図１６に示した適用例のような医療用ベッドの場合には、ベッドの安全バーそのものが第１本体部６００の役目をするように医療用ベッドの安全バーと一体に形成することが可能である。この場合、第１本体部６００は中空型の形状を持つことが好ましい。
【０１６６】
また、図１６に示したように、使用者が自由な角度でクレードルを使うことができるようにするために、第１支持部６１０は第１本体部６００を軸として回転可能になるように第１本体部６００と結合され、第２支持部７１０も第２本体部７００を軸として回転可能になるように第２本体部７００と結合されることができる。
【０１６７】
また、図１７に示した適用例のようなテーブル用スタンド型クレードルにおいては、第１本体部６００がスタンドの柱の役目をすることが可能である。この場合、スタンド支持板１０４０と第１本体部６００は、ヒンジ結合、ボールジョイント結合などのような連結手段１０３０によって結合されることができる。
【０１６８】
図１２は本発明の第６実施例によるモバイル器機用クレードルの形態を示した斜視図である。
【０１６９】
図１２は第１本体部６００が中空形状の場合を示している。第２本体部７００は第１本体部６００の内部に挿入されてスライド運動するように構成される。また、第１支持部６１０は第１本体部６００の外側表面に付着され、第２支持部７１０は第２本体部７００に連結されて付着される。一方、第１本体部６００の表面にはスライド溝６３０が形成され、このスライド溝６３０を通じて第２支持部７１０と第２本体部７００が連結される。使用者は第２支持部７１０を下方に押すことで、第２支持部７１０と連結された第２本体部７００を下方にスライドさせることができる。この時に形成される第１支持部６１０と第２支持部７１０との間の形成される空間にモバイル機器を前述した方式と同様な方式で挟支して装着することができる。その他の構成は前述した実施例と同様である。
【０１７０】
以上、添付図面に基づいて本発明の実施例を説明したが、本発明が属する技術分野で通常の知識を持った者は本発明がその技術的思想や必須の特徴を変更しなくても他の具体的な形態に実施することができるというのを理解することができるであろう。例えば、当業者は各構成要素の素材、サイズなどを適用分野によって変更するとか、開示された実施形態を組み合わせるとか取り替えることで、本発明の実施例に明確に開示されなかった形態に実施することができるが、これも本発明の範囲を逸脱しないものである。したがって、以上で説明した実施例はすべての面で例示的なもので、限定的なものに理解してはいけない。そして、変形実施例らは本発明の特許請求範囲に記載した技術思想にいずれも含まれると言わなければならない。
【産業上の利用可能性】
【０１７１】
本発明はモバイル器機用クレードルに関するもので、スマートフォン、タブレット型パソコンのようなモバイル機器を便利に装着するのに使われることができる。
【図１】
0005778871.tif 000002
【図２】
0005778871.tif 000003
【図３】
0005778871.tif 000004
【図４ａ】
0005778871.tif 000005
【図４ｂ】
0005778871.tif 000006
【図４ｃ】
0005778871.tif 000007
【図５ａ】
0005778871.tif 000008
【図５ｂ】
0005778871.tif 000009
【図５ｃ】
0005778871.tif 000010
【図５ｄ】
0005778871.tif 000011
【図６ａ】
0005778871.tif 000012
【図６ｂ】
0005778871.tif 000013
【図６ｃ】
0005778871.tif 000014
【図７】
0005778871.tif 000015
【図８】
0005778871.tif 000016
【図９】
0005778871.tif 000017
【図１０】
0005778871.tif 000018
【図１１】
0005778871.tif 000019
【図１２】
0005778871.tif 000020
【図１３】
0005778871.tif 000021
【図１４】
0005778871.tif 000022
【図１５】
0005778871.tif 000023
【図１６】
0005778871.tif 000024
【図１７】
0005778871.tif 000025
【図１８】
0005778871.tif 000026
【図１９】
0005778871.tif 000027